(57)【要約】【課題】  巻線挿入後のスキューによってスロット絶縁シートが固定子鉄心のスロット開口部のバリと擦れ合い、スロット絶縁シートが損傷することを防止する。【解決手段】  固定子鉄心の内周に複数個のスロットを有し前記スロットに巻線を絶縁する絶縁シートおよび巻線を装着してなるスキュー付固定子において、前記絶縁シートは２重で構成し鉄心側の絶縁シートは巻線側の絶縁シートより高度の高い、また滑り性の良好な材質にて構成したしたことを特徴としている。  これにより、固定子鉄心のスロット開口部のバリとスロット絶縁シートの擦れによるスロット絶縁シートの損傷が防止できる。よって、絶縁性能の高い高信頼性の固定子を提供できる。【選択図】  図２
2006197662.tif 000002
【特許請求の範囲】
【請求項１】
固定子鉄心の内周に複数個のスロットを有し前記スロットに巻線を絶縁する絶縁シートおよび巻線を装着してなるスキュー付固定子において、前記絶縁シートは２重で構成し鉄心側の絶縁シートは巻線側の絶縁シートより高度の高い材質にて構成したスキュー付固定子。
【請求項２】
固定子鉄心の内周に複数個のスロットを有し前記スロットに巻線を絶縁する絶縁シートおよび巻線を装着してなるスキュー付固定子において、前記絶縁シートは２重で構成し鉄心側の絶縁シートは巻線側の絶縁シートより滑り性の高い材質にて構成したスキュー付固定子。
【請求項３】
固定子鉄心の内周に複数個のスロットを有し前記スロットに巻線を絶縁する絶縁シートおよび巻線を装着してなるスキュー付固定子において、前記絶縁シートは２重で構成し巻線側の絶縁シートは両端の折り返しにより鉄心側の絶縁シートを包み込構成とし、前期巻線側の絶縁シートの包み込み部長さは前記コア側絶縁シートの長さに対し０．３〜１．５ｍｍ長くしたことを特徴としたスキュー付固定子。
【請求項４】
請求項１および請求項２の記載のスキュー付固定子において、巻線側の絶縁シートは両端の折り返しにより鉄心側の絶縁シートを包み込構成とし、前期巻線側の絶縁シートの包み込み部長さは前記コア側絶縁シートの長さに対し０．３〜１．５ｍｍ長くしたことを特徴としたスキュー付固定子。
【発明の詳細な説明】
【技術分野】
【０００１】
本発明にかかるスキュー付固定子は、低騒音且つ高効率で絶縁性能を向上する効果を有し、家庭用エアコンや自動車用カーエアコンなどに搭載されるコンプレッサー用ブラシレスモータの固定子等に有効である。
【背景技術】
【０００２】
近年、地球環境改善のため省エネルギー化の取り組みが盛んに行われ、自動車においても燃費向上や排ガス削減などから自動車用コンプレッサーも電動化が検討され、モータについても更なる高効率化や小型軽量化、また低騒音化が要求されている。
【０００３】
低騒音化のためには、固定子もしくは回転子をスキューすることが知られており、家庭用エアコン用コンプレッサーに搭載のブラシレスモータにおいてスキュー仕様の場合は、回転子側の擬似的なスキューを採用している事例が多い。擬似的なスキューに対し連続的なスキューは磁束の変化が滑らかであるため低騒音・低振動の効果は大きいが、主に製造的観点等から回転子側の擬似的なスキューとなっている。
【０００４】
また、固定子側のスキューの方法には、固定子鉄心の状態で予めスキューした固定子鉄心に巻線する方式と、固定子鉄心の状態ではスキューせずに巻線を行った後にスキューする方式が知られている。前者の場合は巻線を固定子鉄心に直接巻き込む直巻き方式や手作業で製作する方式、或いはスロット数の比較的少ない構造の固定子、または比較的積厚の短い構造の固定子などの場合に採用される事例が多い。後者の場合は、巻線をスロットの内径側開口部から挿入するインサーター方式の事例が多い。
【０００５】
車両搭載用コンプレッサーの場合、搭載上一般的に外径の小さな構造が好まれる。同一外径で高出力の場合は長い積厚が必要となる。また、低振動・低騒音の場合はスロット数多くする必要がある。つまり同一外径において、高出力・低振動・低騒音を考慮すると、積厚の長いスロット数の多い構造が必要となり、インサーター方式が有効となる。
【０００６】
インサーター方式の場合、巻線の挿入はインサート時のスロット絶縁や巻線のダメージを考慮して固定子鉄心に形成されたスロット部において、反バリ側から行うのが一般的に知られている。
【０００７】
巻線を挿入後にスキューを行う際、スキューをするとスロット内の巻線が圧迫されスロット絶縁シートを固定子鉄心に強く押し当てることとなる。スロットの軸方向開口部は巻線の出口となるため上記巻線がスロット内より開放されるため、スロット絶縁シートが固定子鉄心のスロット開口部のエッジ部に、より強く押し当てられることとなる。言うまでもなく前記エッジ部にバリがあればスロット絶縁シートへのストレスは更に厳しい状況となる。
【０００８】
モータ効率を向上させる一例として、スロット内の巻線量を増大し銅損を低減する手段は広く知られている。つまり前記の巻線量の増大により前記の絶縁シートへのストレスは更に増大し、スロット絶縁シートが固定子鉄心のスロット開口部のエッジ部に益々強く押し当てられることとなる。
【０００９】
一方、スキューを行う際に固定鉄心を捻ってスキューすると、スロットの長手方向長さがスキュー角度に応じて長くなるため、スキュー前のスロット絶縁シートと接触している鉄板シートの相対位置が変化し、鉄板シートとスロット絶縁シートが擦れあうこととなる。前記巻線の反挿入側固定子鉄心端面、つまり巻線の反挿入側スロット開口部は前述の通りバリ側が一般的となっている。その結果、スロット絶縁シートが固定子鉄心のスロット開口部バリに強い力で押し当てられながら擦れることとなるため、スロット絶縁シートが削られ薄くなるという問題やスロット絶縁シートに亀裂が発生するという問題があった。（例えば、特許文献１参照）
【特許文献１】特開２００４−４０８９７号公報
【発明の開示】
【発明が解決しようとする課題】
【００１０】
解決しようとする問題点は、巻線挿入後のスキューによってスロット絶縁シートが固定子鉄心のスロット開口部のバリと擦れ合い、スロット絶縁シートが損傷することにある。
【００１１】
本発明は上記課題を解決するもので、簡単な構成でより絶縁性能の高い高信頼性の低騒音モータの固定子を提供することを目的としている。
【課題を解決するための手段】
【００１２】
上記目的を達成するために本発明のスキュー付固定子は、固定子鉄心の内周に複数個のスロットを有し前記スロットに巻線を絶縁する絶縁シートおよび巻線を装着してなるスキュー付固定子において、前記絶縁シートは２重で構成し鉄心側の絶縁シートは巻線側の絶縁シートより高度の高い、また滑り性の良好な材質にて構成したしたことを特徴としている。
【００１３】
これにより、固定子鉄心のスロット開口部のバリとスロット絶縁シートの擦れによるスロット絶縁シートの損傷が防止できる。よって、絶縁性能の高い高信頼性の固定子を提供できる。
【００１４】
なお、巻線側の絶縁シートは両端の折り返しにより鉄心側の絶縁シートを包み込構成とし、前期巻線側の絶縁シートの包み込み部長さは前記コア側絶縁シートの長さに対し０．３〜１．５ｍｍ長くしたことを特徴としている。
【００１５】
これにより、コア側のスロット絶縁シートは巻線側のスロット絶縁シートの折り返し部によって圧迫されず変形しにくいため、コア側のスロット絶縁シートの損傷が防止でき、より絶縁性能の高い高信頼性の固定子を提供できる。
【発明の効果】
【００１６】
本願の発明によれば、巻線挿入後のスキューによってスロット絶縁シートが固定子鉄心のスロット開口部のバリと擦れ合っても、スロット絶縁シートがスムーズに動くためスロット絶縁シートの損傷がなく絶縁性能の高い低騒音固定子の製造が可能となる。
【発明を実施するための最良の形態】
【００１７】
巻線挿入後のスキューによってスロット絶縁シートが固定子鉄心のスロット開口部のバリと強く擦れ合わないように鉄心側の絶縁シート材質を滑り性の良い比較的硬い材質を採用することによって絶縁シートの損傷を防止し、絶縁性能の高い低騒音モータ用固定子を実現した。
以下本発明の実施例について説明する。
【実施例１】
【００１８】
図１は本発明の一実施例における固定子の斜視図であり、図２は本発明の一実施例における固定子の部分断面図である。
【００１９】
内径側に複数個のスロット２を有した０．３５ｍｍ鉄板シート（ＪＩＳ記号３５Ａ３００）を所定量積層した固定子鉄心１の前記スロット２に、ストレート形状の材質ＰＰＳフィルム３ａのスロット絶縁シートを折り返しのある形状の材質ＰＥＮフィルム３ｂで包み込んだ状態の２重のスロット絶縁シートを装着している。前記ＰＥＮフィルム３ｂの折り返し部３ｃはストレート形状のＰＰＳフィルム３ａを包み込むと同時に前記固定子鉄心１に装着保持する機能を有している。ＰＥＮフィルムはＰＰＳフィルムと比較すると硬度が低く折り返しを形成することが可能であり、一方ＰＰＳフィルムは硬いため折り返しは形成困難であるが滑り性が良好であるという特徴がある。本願は上記絶縁シートの特徴を有効活用したものである。
【００２０】
前記固定子鉄心１の反バリ側からスキューの無いストレートの状態で巻線４をインサートした後、固定子鉄心１を捻ってスキューを行うとスロット内の巻線４が圧迫され鉄心側のスロット絶縁シート３ａであるＰＰＳフィルム３ａを鉄板シートに強く押し当てることとなる。これは巻線４の出口にてより顕著となり、またＰＰＳフィルム３ａと接触している鉄板シートの相対位置が変化し、鉄板シートとＰＰＳフィルム３ａが擦れあうこととなるがＰＰＳフィルム３ａは硬度が高く滑り性が良好なためＰＰＳフィルム３ａ自身のダメージが無く損傷を防止しでき絶縁性能の高いスキュー付固定子が提供できる。
【００２１】
また、ＰＰＳフィルムやＰＥＮフィルムは一般のＰＥＴフィルムと比較すると誘電率が小さいので交流成分の漏れ電流が小さいというメリットを有しており、更に耐加水分解性が良好であるため高い絶縁性能を有しており、信頼性の高いスキュー付固定子が提供可能となる。更に加えるならＰＰＳフィルムはエステル結合でないため、加水分解しないので更に絶縁性能が良好である。
【実施例２】
【００２２】
図３は本発明の一実施例におけるスロット絶縁シートの断面図である。
【００２３】
同様に固定子鉄心１のスロット２に鉄心側にはＰＰＳフィルム３ａを、反鉄心側（巻線側）には折り返しのある形状のＰＥＮフィルム３ｂのスロット絶縁シートを装着するが巻線側のＰＥＮフィルムのＰＰＳフィルムを包み込み部長さはＰＰＳフィルム長さに対し０．３〜１．５ｍｍ長くした。これにより、ＰＰＳフィルムはＰＥＮフィルムの折り返し部によって圧迫されず変形しにくいため、固定子１のスロットの積層方向開口部バリと干渉せずにＰＰＳフィルム３ａ自身のダメージが無く損傷を防止しでき絶縁性能の高いスキュー付固定子が提供できる。
【産業上の利用可能性】
【００２４】
本発明にかかるスキュー付固定子は、低騒音且つ高効率で絶縁性能を向上する効果を有し、家庭用エアコンや自動車用カーエアコンなどに搭載されるコンプレッサー用ブラシレスモータの固定子等に有用である。
【図面の簡単な説明】
【００２５】
【図１】本発明の一実施例における固定子の斜視図
【図２】本発明の一実施例における固定子の部分断面図
【図３】本発明の一実施例におけるスロット絶縁シートの断面図
【図４】従来例の固定子の部分断面図
【符号の説明】
【００２６】
１  固定子鉄心
２  スロット
３  スロット絶縁
３ａ  コア側のスロット絶縁シートＰＰＳフィルム
３ｂ  巻線側のスロット絶縁シートＰＥＮフィルム
３ｃ  折り返し部
３ｄ  コア側のスロット絶縁シートＰＥＴフィルム
３ｅ  巻線側のスロット絶縁シートＰＥＴフィルム
４  巻線
【図１】
2006197662.tif 000003
【図２】
2006197662.tif 000004
【図３】
2006197662.tif 000005
【図４】
2006197662.tif 000006